(57)【特許請求の範囲】
【請求項１】
開閉可能なカバーを開けた状態で定着装置を着脱可能である画像形成装置において、
一つのインタロックスイッチと、
該インタロックスイッチを作動可能な位置と作動不可能な位置に変位可能であって、回転軸への付勢手段によって前記インタロックスイッチを作動不可能な位置に付勢され、該画像形成装置本体内に設けられた溝に従って移動する該定着装置の一側面と当接して、前記付勢の向きと逆方向に移動して前記インタロックスイッチを作動可能な位置に変位する回転体と、
前記カバーに接続され、前記カバーが閉じる動きに応じて前記画像形成装置本体に設けられた案内溝に従って移動し、前記回転体に当接して前記定着装置の一側面によって移動した回転体を回動させて前記インタロックスイッチを作動させるアームと、
前記画像形成装置本体に回動可能に取り付けられ、前記定着装置を前記画像形成装置本体に対して固定する位置と固定を解除して前記アームの移動を規制する位置に変位可能である定着装置固定部材と、
を備えることを特徴とする画像形成装置。
【請求項２】
装置本体のカバーが開閉可能でこのカバーを開けた状態の下で、前記装置本体に対して定着装置を着脱可能としている画像形成装置において、
軸により前記装置本体に枢着され、前記定着装置を着脱する際に、当該軸を支点として揺動させられることにより、前記定着装置を前記装置本体に対して固定したり固定を解除する定着装置固定部材及び前記カバーにそれぞれ、共通の１つのインタロックスイッチを作動させるための動作部材を変位させる変位手段を設けたことを特徴とする画像形成装置。
【請求項３】
請求項２記載の画像形成装置において、前記動作部材は前記カバーに設けた前記変位手段（以下第１変位手段という）により動作可能な位置と、動作不可能な位置とをとり得るように可動であり、
前記定着装置固定部材による前記定着装置の固定のための変位に応じて該定着装置固定部材に設けた前記変位手段（以下第２変位手段という）が、前記動作部材を、前記第１変位手段により動作可能な態位に変位させることを特徴とする画像形成装置。
【請求項４】
請求項３記載の画像形成装置において、前記動作部材は回転体で構成されていて、前記第２変位手段により変位させられる部位と、前記第１変位手段により変位させられる部位と、前記インタロックスイッチを作動させる部位とを具備していることを特徴とする画像形成装置。
【請求項５】
請求項２乃至４の何れかに記載の画像形成装置において、前記定着装置固定部材による前記定着装置の固定状態の保持のための係止手段を、前記定着装置側に設けていることを特徴とする画像形成装置。
【発明の詳細な説明】
【０００１】
【発明の属する技術分野】
本発明は、プリンタ、複写機等の画像形成装置に関する。
【０００２】
【従来の技術】
画像形成装置の定着装置は一般的に画像品質の維持のために、適切な期間または印字数により交換する必要がある。近年、メンテナンスの簡素化のため、定着装置をユーザーサイドで交換できるようにしている画像形成装置が増えてきている。これにより、定着装置をユーザーが交換する機会が多くなってきている。
【０００３】
特に、定着装置が画像形成装置の上部に位置しているレーザービームプリンタなどの画像形成装置においては、定着装置を交換する際に、装置本体の正面のカバーを開けた後で、定着装置を装置本体に固定している固定部材による固定を解除して定着装置を抜脱し、所要のメンテナンス終了後、定着装置を所定の位置に装着し固定部材で固定する。
【０００４】
ここで、定着装置を取り外すことにより装置本体に定着装置が無い状態では、装置本体の中、定着装置の装着部位が凹状の開口など一定の空間を有している。この定着装置の装着空間に誤って、オペレータなどが手を入れるおそれがある。この定着装置の装着空間の部位の内部には、この種、画像形成装置一般に、高圧電源部が露出しており、大変危険な状態にある。
【０００５】
一方、多くの画像形成装置では、従来から、ジャム紙の除去その他メンテナンスのために、装置本体のカバーが開閉できるようになっていて、このカバーの開閉と連動してオン・オフするインタロックスイッチおよびこのインタロックスイッチにより作動されるインタロック回路が装備されている。このカバーを開けると、インタロックスイッチが機能して、例えば、インタロックスイッチがオフの状態となって、インタロックが機能し、これにより、例えば、装置本体の内部に手を入れても安全なように、危険箇所にかかる通電部の通電がオフになる。
【０００６】
図８、図９に示した例は、公知でない提案技術であって、装置本体のカバーが開閉可能でこのカバーを開けた状態の下で、前記装置本体に対して定着装置を着脱可能としている画像形成装置について、装置本体のカバーの開閉に連動してインタロックスイッチを機能させるようにした例を示している。
【０００７】
これらの図において、画像形成装置は、外装カバーで覆われて筐体状をしている。図８、９において、紙面を貫く方向に上記外装カバーの一部が２枚対向しており、これら対向する２枚の外装カバーの内側にも対向する２枚の本体側板が設けられている。図８、９は、手前側の外装カバーを省略したかたちで示したもので、手前側の本体側板１と、その後にある奥側の外装カバー１０の一部が見えている。なお、奥側の本体側板は、手前側の本体側板１と形状、大きさが同じなので、手前側の本体側板１に重なってしまい図示されていない。
【０００８】
符号２は感光体ドラムを示す。この例では、装置本体の下部に給紙部Ａがあり、この給紙部Ａから上方に送られる縦搬送部Ｂの途中であって、感光体ドラム２の側部を通過する間にトナー像の転写が行なわれる。転写後の用紙は感光体ドラム２の上方にユニット化されて設けられた定着装置３を通過する間に一対の定着ローラ３ａにより定着されて、横搬送部Ｃを経て、排紙部Ｄに送り出される。
【０００９】
縦搬送部Ｂには、用紙を送るための対ローラが適宜の間隔をおいて設けられている。これらの対ローラで搬送される過程で、用紙が詰まり、所謂ジャムが発生することがある。このジャム紙の処理の便に供するため、対向する各本体側板１の一端側（図中右端）には、縦搬送部Ｂを露出状態にすることができるように開閉可能なカバー４が軸５０を支点にして開閉可能に設けれらている。
【００１０】
また、定着装置３には、２本の軸３ｂ、３ｃが外部に突出していて、本体側板１に形成した案内用の溝９ａ，９ｂにそれぞれ嵌入して摺動されて、適正な所定の装着位置に案内されるようになっている。さらに、所定の装着位置において、該定着装置３を固定し、或いは固定を解除するために、定着装置固定部材５が設けられている。この定着装置固定部材５は軸５ａにより本体側板１に枢着されたレバーであり、定着装置３が所定の装着位置に装着された状態の下で、該レバーの自由端を上動させると、凹部５ｂが軸３ｃに係合して定着装置３の位置を固定することができる。該レバーは図示しない係止手段によりこの位置に保持することができる。
【００１１】
本体側板１にはインタロックスイッチ６が固定され、また、このインタロックスイッチ６を作動させるための動作部材としてのカム７が枢着されている。このカム７は時計まわりの向きに回動付勢されている。この付勢による回動は、図８に示すように凸部７ａが凸部８ｃの進路上に位置する状態で図示しないストッパにより止められている。
【００１２】
一方、カバー４にはアーム８が軸８ａにより枢着されている。このアーム８の自由端側には円柱状の被案内部８ｂが形成されていて、この被案内部８ｂは本体側板１に形成された案内溝１ａに摺動可能に嵌合している。この被案内部８ｂにはカム７の凸部７ａを押し動かすための凸部８ｃが一体的に形成されている。
【００１３】
図９に示すように、カバー４を開くと、被案内部８ｂが案内溝１ａにより案内されてカム７から離間した位置に退避した状態となる。これにより、インタロックスイッチ６はオフの状態となる。さらに、図示省略の係止手段を解除して定着装置固定部材５を図８に示す軸３ｃの固定状態から、図９に示す軸３ｃの固定解除状態に移行させることにより定着装置３を溝９ａ，９ｂに沿ってスライドさせて装置本体から抜脱することができる。
【００１４】
必要なジャム処理を終え、或いは、定着装置３のメンテナンス終了の後、定着装置３の軸３ｂ，３ｃを溝９ａ，９ｂに入れて、定着装置固定部材５を揺動させ、定着装置３を固定する。さらに、カバー４を揺動させて閉じると、これにより、被案内部８ｂが案内溝１ａに案内されて移動し、凸部８ｃがアクチュエータ６ａを押すことにより、インタロックが解除される。この状態を図８に示す。
【００１５】
【発明が解決しようとする課題】
しかし、このような、装置本体のカバー４の開閉と連動して作動するインタロックスイッチ６を有する画像形成装置でも、カバー４の開閉と定着装置３の装置本体に対する装着の有無とが関連づけられていないので、定着装置３が装置本体に対して未装着の状態の下でも、カバー４を閉じることは一向に差し支えなく、定着装置３を未装着のままで、定着装置固定部材５を操作してカバー４を閉じると凸部８ｃがカム７の凸部７ａを押動させてインタロックスイッチ６がオンの状態となってインタロックが解除され、定着装置３が装着されるべき装置本体の部位での通電部が通常の通電状態となり、人が手を触れる可能性があり、危険である。
【００１６】
本発明の目的は、定着装置を取り外した状態の下でも安全性が確保される画像形成装置を提供することにある。
【００１７】
【課題を解決するための手段】
本発明は、前記目的を達成するため、以下の構成とした。
【００１８】
（１）  開閉可能なカバーを開けた状態で定着装置を着脱可能である画像形成装置において、一つのインタロックスイッチと、該インタロックスイッチを作動可能な位置と作動不可能な位置に変位可能であって、回転軸への付勢手段によって前記インタロックスイッチを作動不可能な位置に付勢され、該画像形成装置本体内に設けられた溝に従って移動する該定着装置の一側面と当接して、前記付勢の向きと逆方向に移動して前記インタロックスイッチを作動可能な位置に変位する回転体と、前記カバーに接続され、前記カバーが閉じる動きに応じて前記画像形成装置本体に設けられた案内溝に従って移動し、前記回転体に当接して前記定着装置の一側面によって移動した回転体を回動させて前記インタロックスイッチを作動させるアームと、前記画像形成装置本体に回動可能に取り付けられ、前記定着装置を前記画像形成装置本体に対して固定する位置と固定を解除して前記アームの移動を規制する位置に変位可能である定着装置固定部材と、を備えることとした（請求項１）。
【００２２】
（２）装置本体のカバーが開閉可能でこのカバーを開けた状態の下で、前記装置本体に対して定着装置を着脱可能としている画像形成装置において、軸により装置本体側板に枢着され、前記定着装置を着脱する際に、当該軸を支点として揺動させられることにより前記定着装置を前記装置本体に対して固定したり固定を解除する定着装置固定部材及び前記カバーにそれぞれ、共通の１つのインタロックスイッチを作動させるための動作部材を変位させる変位手段を設けた（請求項２）。
【００２３】
（３）（２）記載の画像形成装置において、前記動作部材は前記カバーに設けた前記変位手段（以下第１変位手段という）により動作可能な位置と、動作不可能な位置とをとり得るように可動であり、前記定着装置固定部材による前記定着装置の固定のための変位に応じて該定着装置固定部材に設けた前記変位手段（以下第２変位手段という）が、前記動作部材を、前記第１変位手段により動作可能な態位に変位させることとした（請求項３）。
【００２４】
（４）（３）記載の画像形成装置において、前記動作部材は回転体で構成されていて、前記第２変位手段により変位させられる部位と、前記第１変位手段により変位させられる部位と、前記インタロックスイッチを作動させる部位とを具備していることとした（請求項４）。
【００２５】
（５）（２）乃至（４）の何れかに記載の画像形成装置において、前記定着装置固定部材による前記定着装置の固定状態の保持のための係止手段を、前記定着装置側に設けた（請求項５）。
【００２６】
【発明の実施の形態】
前記図８、図９により説明した構成のうち、カバー４の開閉機構や、このカバー４の開閉動作を連動して作動するアーム８の構成、及び定着装置３を所定の位置に位置決めするための溝９ａ、９ｂ、軸３ａ，３ｂなどの構成、定着装置固定部材５の構成、などは以下の例においても図８、９の例に準じて適用される。
【００２７】
例１．
本例は請求項１記載の内容に対応する。主として、図１から図３を参照して説明する。
図３に示した本体側板１は、手前側の外装カバー（図示されず）の内側に設けられた手前側の本体側板である。この本体側板１にはＵ字状に溝９ａ，９ｂが形成されている。奥側の本体側板（図示されず）にも、同様の溝が形成されている。また、定着装置固定部材５は軸５ａにより本体側板１に枢着されている。定着装置３を抜脱した状態の下では、定着装置固定部材５の自由端側は本体側板１或いは外装カバー１０に設けたストッパ５ｃにより、自重による回動が阻止されている。
【００２８】
本体側板１にはまた、案内溝１ａが形成されている。この案内溝１ａには被案内部８ｂが摺動可能に嵌合している。カバー４を開けた状態の下では、凸部８ｃ及び被案内部８ｂは図示されるように案内溝１ａの後端側に退避している。案内溝１ａ上であって、この退避位置よりも先端側の部位に定着装置固定部材５が位置していて、かつ、定着装置固定部材５がストッパ５ｃにより係止されているときには、定着装置固定部材５が案内溝１ａの一部を塞ぐので、この状態では、カバー４を閉じることができない。定着装置固定部材５の自由端側の把手を持ち上げて回動させ、定着装置３を固定する状態におけば、案内溝１ａが開通するので、カバー４を閉じることが可能となる。
【００２９】
従来技術では、定着装置３が未装着な状態でも、このような定着装置固定部材５の操作が可能であり、定着装置３が未装着な状態で、カバー４を閉じることにより、インタロックが解除されて危険な状況を呈することがあった。
【００３０】
案内溝１ａの先端側の延長上には、インタロックスイッチ６が本体側板１に固定されている。インタロックスイッチ６を作動させるための動作部材１１は該動作部材１１と一体的に設けられた軸１１ａが本体側板１に形成された長穴１２に嵌合して案内され、移動可能になっている。この移動範囲は、動作部材１１が凸部８ｃにより押動され得る位置であって、かつ、インタロックスイッチ６を作動させることができる作動位置（図１に実線で示す位置）と、動作部材１１が凸部８ｃ及びインタロックスイッチ６の何れとも干渉されず、かつ、定着装置３を装着する際に定着装置３により押動され得る退避位置（図１に２点鎖線で示す位置）とをとり得る範囲である。
【００３１】
軸１１ａは、ばね等の付勢手段により、作動位置側から退避位置側に向けて付勢されている。図１に示すように、定着装置３が装置本体から抜脱された状態の下では、上記付勢手段により動作部材１１は退避位置にある。図１において、動作部材１１は軸１１ａを中心にして回動可能な一種のカムであり、凸部８ｃにより押動させられる凸部１１ｂと、インタロックスイッチ６のアクチュエータ６ａを作動させる凸部１１ｃと、軸１１ａを中心とする半径が一定の曲面部１１ｄを有している。
【００３２】
いま、図９に示すように、カバー４が開けられて、定着装置３は装置本体から抜脱されているものとする。このとき、図１に示すように、凸部８ｃは案内溝１ａの後端側に退避している。また、動作部材１１は２点鎖線で示すように付勢手段により退避位置に移動させられていて、凸部１１ｂは凸部８ｃの進路上にはない。また、凸部１１ｂはアクチュエータ６ａから十分に離間し、インタロックスイッチ６を作動させ得る位置にはない。従って、インタロックが解除されておらず、このようなインタロック非解除中においては、該当箇所の電源が遮断され、装置の動作が中止された状態にある。
【００３３】
この状態の下で、定着装置３の軸３ｂ，３ｃを溝９ａ、９ｂに入れて付勢手段の付勢の向きに抗して図１に示す矢印の向きに移動すると、やがて、動作部材１１の曲面部１１ｄが定着装置３の前端面部に当接するようになる。さらに動作部材１１と共に、定着装置３を押し込むことにより、溝９ａ，９ｂの端部に軸３ｂ，３ｃが当接する。この位置は図８に示す定着装置３の所定の装着位置に相当し、同時に、動作部材１１の動作位置でもある。この動作位置は、既に説明したように、図１において、実線で示す位置である。
【００３４】
定着装置３を図１に実線で示す位置に保持するため、定着装置固定部材５の手前側（自由端側）の把手部を引上げると、図８で説明したように、軸３ｃに定着装置固定部材５の凹部５ｂが嵌入して、定着装置３の位置を適正な位置に固定し保持する。定着装置固定部材５はこの嵌入位置で、図示省略の係止手段により保持される。
【００３５】
この状態の下で、カバー４を閉じると、この閉じ動作に連動して、被案内部８ｂが案内溝１ａに沿って該案内溝の先端側に向けて移動し、やがて、凸部８ｃが凸部１１ｂに当接するようになる。そして、カバー４を図８に示すように完全に閉じたとき、図２に示すように凸部１１ｂは凸部８ｃにより押動されることにより、これに伴い、動作部材１１は軸１１ａ中心にして回動させられ、２点鎖線で示す位置から実線で示す位置に変位する。
【００３６】
この変位に伴い、凸部１１ｃがアクチュエータ６ｂを押し動かし、インタロックスイッチ６をオンにして、インタロックを解除し、該当箇所が通電状態に復帰する。ここで、動作部材１１の回動に伴い、曲面部１１ｄが前端面部３ｄと摺接するが、この曲面部１１ｄは、回動中心である軸１１ａからの距離が一定であるので、定着装置３の位置を変位させることはない。
【００３７】
かかる構成において、定着装置３が未装着の状態では、動作部材１１が凸部８ｃの進路上から退避しているので、カバー４を閉じても、インタロックスイッチ６を作動させることができず、インタロックは解除されない。定着装置３に設けた前端面部３ｄと、カバー４に設けたアーム８と一体な凸部８ｃとが共に動作部材１１を変位させたときにのみ、動作部材１１はがインタロックスイッチ６を作動させる。つまり、定着装置３が装置本体に装着された状態で、かつ、カバー１を閉じた状態でのみ、インタロックが解除され、該当箇所の電源がオン状態となり装置の動作が復活する。
【００３８】
本例において、凸部８ｃを有するアーム８は動作部材１１を変位させる第１変位手段であり、定着装置３の前端面部３ｄは動作部材１１を第１変位手段により動作可能な位置に変位させる変位手段である。また、動作部材１１において、凸部１１ｂは変位手段により押動させられる部位であり、凸部１１ｄは第２変位手段による押動させられる部位であり、凸部１１ｃはインタロックスイッチ６を動作させる部位である。
【００３９】
例２．
本例は、請求項２〜５記載の内容に対応する。主として図５から図７を参照して説明する。
前記例１では、動作部材の変位を定着装置により行なったが、本例では、動作部材の変位を定着装置の固定部材により行なうようにしている。
【００４０】
本例における構成が前記例１における構成と異なる主な点は、図５に示すように動作部材１１０が本体側板上を移動する構成にはなっておらず、本体側板１に軸１１０ａにより単に枢着されているにすぎないこと、動作部材１１０には、アクチュエータ６ａを動作させる凸部１１０ｃ、凸部８ｃにより動作させられる凸部１１０ｂのほかに、定着装置固定部材５により動作させられる凸部１１０ｅを設けていること、定着装置固定部材５には凸部１１０ｅを動作させるための凸部５ｅが設けられていること、また、動作部材１１０は図示省略の付勢手段により軸１１０ａを中心とする反時計まわりの向きに付勢されていて、この付勢手段による動作部材１１０の回動は、凸部１１０ｂが凸部５ｅに当接することにより阻止されている、などである。
【００４１】
いま、仮に、図９に示すように、カバー４が開けられて、定着装置３は装置本体から抜脱されているものとする。このとき、図５において、図９に示すように、凸部８ｃは案内溝１ａの後端側に退避している。また、動作部材１１０の凸部１１０ｂは凸部８ｃの進路上から外れた位置にあり、凸部１１０ｃはアクチュエータ６ａから十分に離間し、インタロックスイッチ６を作動させ得る位置にはなく、凸部１１０ｅは前記したように凸部５ｅに付勢手段により当接させられている。
【００４２】
従って、インタロックスイッチ６はオフになっているので、インタロックが作動し、このようなインタロック作動中においては、該当箇所の電源が遮断され、装置の動作が中止された状態にある。
【００４３】
この状態の下で、定着装置３の軸３ｂ，３ｃを溝９ａ、９ｂに入れて付勢手段の付勢の向きに抗して図１に示す矢印の向きに移動すると、やがて、溝９ａ，９ｂの端部に軸３ｂ，３ｃが当接する。この位置は図８に示す定着装置３の所定の装着位置に相当し、同時に、動作部材１１０の動作位置でもある。
【００４４】
定着装置３を図１に実線で示す位置に保持するため、定着装置固定部材５の手前側（自由端側）の把手部を図５に矢印で示す向きに引上げると、該定着装置固定部材５が軸５ａを支点として揺動し、図８で説明したように、軸３ｃに定着装置固定部材５の凹部５ｂが嵌入して、定着装置３の位置を適正な位置に保持する。定着装置固定部材５はこの嵌入位置に、係止手段により保持される。
【００４５】
本例では、この係止手段は特に、定着装置３に設けられている。従って、定着装置３が未装着の状態では、定着装置固定部材５を係止状態に保持することができない。この係止手段の最も簡単な例としては、図６、図７において定着装置３の側部に設けた３ｆを挙げることができる。このピン３ｆに定着装置固定部材５を撓ませて通過後した向きには通過させずに掛けた状態として係止する。外すときには撓ませて該ピン３ｆを通過させる。この係止手段としては、その他、公知の手段を利用することができる。
【００４６】
このような定着装置固定部材５の揺動動作に応じて、定着装置固定部材５と一体的に設けられた凸部５ｅが回動し、動作部材１１０の凸部１１０ｅに当接して該凸部１１０ｅを押動させる。これにより、動作部材１１０が軸１１０ａを中心に時計まわりの向きに回動して、図６に示すように、凸部１１０ｂが案内溝１ａの延長上、つまり、凸部８ｃの進路上に移動する。
【００４７】
この状態の下で、カバー４を閉じると、この閉じ動作に連動して、被案内部８ｂが案内溝１ａに沿って該案内溝の先端側に向けて移動し、やがて、図７に示すように、凸部８ｃが凸部１１０ｂに当接し、さらにカバー４を図８に示すように完全に閉じたとき、凸部１１０ｂは凸部８ｃにより押動されることにより、動作部材１１０は軸１１０ａ中心にして回動させられ、この変位に伴い、凸部１１０ｃがアクチュエータ６ｂを押し動かす。これにより、インタロックスイッチ６が作動してインタロックが解除される。ここで、動作部材１１０の回動に伴い、凸部１１０ｅは凸部５ｅから離間する方向に回動するので定着装置固定部材５には何らの影響も及ぼさない。
【００４８】
かかる構成において、定着装置３が未装着の状態では、動作部材１１０が凸部８ｃの進路上から退避しているので、カバー４を閉じても、インタロックスイッチ６を作動させることができず、インタロックは解除されない。また、仮に定着装置固定部材５を引き上げる操作がなされることにより、動作部材１１０が動作させられて凸部１１０ｂが凸部８ｃの進路上に移動することがあっても、定着装置３が未装着の状態の下では、定着装置固定部材５をその位置に係止する手段がない（該係止手段は定着装置に設けられている）ので、定着装置固定部材５から手を離せば、定着装置固定部材５は図５に示すようにストッパ５ｂに係止される位置まで自重で下がり、これに伴い、動作部材１１０は図示しない付勢手段により、反時計まわりの向きに回動して、凸部５ｅに凸部１１０ｂが当接した状態に戻り、これにより、凸部１１０ｂは凸部８ｃの進路から外れた位置に変位してしまうので、かかる誤操作によりインタロックが解除される危険はない。
【００４９】
本例では、定着装置固定部材５と一体な凸部５ｅとカバー４に設けたアーム８と一体な凸部８ｃとが共に動作部材１１０を変位させたときにのみ、動作部材１１０はがインタロックスイッチ６を作動させる。つまり、定着装置３が装置本体に装着された状態で、かつ、カバー１を閉じた状態でのみ、インタロックが解除され、該当箇所の電源がオン状態となり装置の動作が復活する。
【００５０】
本例において、凸部８ｃを有するアーム８は動作部材１１０を変位させる第１変位手段であり、固定部材５と一体な凸部５ｅは動作部材１１０の凸部１１０ｂを第１変位手段により動作可能な位置に変位させる第２変位手段である。また、動作部材１１０において、凸部１１０ｂは第１変位手段により押動させられる部位であり、凸部１１０ｅは第２変位手段による押動させられる部位であり、凸部１１０ｃはインタロックスイッチ６を動作させる部位である。
【００５１】
例１、例２で説明した各例において、案内溝１ａや、溝９ａ，９ｂなどは、本体側板１をＵ字状に削り落したような状態のものとして示したが、このようにせずに、対向する本体側板の各内側にこれらの案内溝１や溝９ａ，９ｂと同じような溝が形成されるように凸状の部材を板面にＵ字形に固定して構成することもできる。図４は本体側板の板面に凸状の部材をＵ字状に固定して、あるいはＵ字状の凸部を一体もしくは一体的に設けて、溝を形成した例を示す。
【００５２】
【発明の効果】
請求項１〜５記載の発明では、定着装置、装置本体のカバー、のいずれもが適正な位置にない限り、インタロック状態が解除されないので、オペレータに対する安全性が向上する。
【図面の簡単な説明】
【図１】本発明の例１にかかる画像形成装置の要部を動作の過程と共に説明した正面図である。
【図２】本発明の例１にかかる画像形成装置の要部を動作の過程と共に説明した正面図である。
【図３】本発明の例１にかかる画像形成装置の要部を説明した斜視図である。
【図４】本発明にかかる定着装置の案内溝、第１変位手段の案内溝の他構成例を説明した斜視図である。
【図５】本発明の例２にかかる画像形成装置の要部を動作の過程と共に説明した正面図である。
【図６】本発明の例２にかかる画像形成装置の要部を動作の過程と共に説明した正面図である。
【図７】本発明の例２にかかる画像形成装置の要部を動作の過程と共に説明した正面図である。
【図８】一部の構成が本発明において適用されている従来技術としての画像形成装置の構成を動作の過程と共に説明した正面図である。
【図９】一部の構成が本発明において適用されている従来技術としての画像形成装置の構成を動作の過程と共に説明した正面図である。
【符号の説明】
５    定着装置固定部材
５ｅ  第３変位手段しての、凸部
８    第１変位手段としての、アーム
１１、１１０  動作部材
【図１】
0003699816.tif 000002
【図２】
0003699816.tif 000003
【図３】
0003699816.tif 000004
【図４】
0003699816.tif 000005
【図５】
0003699816.tif 000006
【図６】
0003699816.tif 000007
【図７】
0003699816.tif 000008
【図８】
0003699816.tif 000009
【図９】
0003699816.tif 000010